(57)【要約】【課題】人手による複雑なジャム解除の手間を省くとともに、自動復帰機能による排出動作で、装置自身による再ジャムを起こす不具合をなくすカード印刷装置およびカード処理方法を提供する。【解決手段】処理ユニット２は、搬送上部５１と搬送下部５２から成り、搬送下部５２はトグル機構５４によって下方に退避できるので、ジャムが発生した場合には、搬送下部５２を傾けて搬送上部５１から離れ、ジャムカードＫは、搬送上部５１と搬送下部５２の搬送ローラ５３に挟まれた搬送状態から、いずれからも挟持されないフリーの状態となり、ジャムカードＫは、傾いた搬送下部５２から滑り落ちて、搬送下部５２の下方に設置された廃棄箱７内に落下する。【選択図】図３
2010083633.tif 000002
【特許請求の範囲】
【請求項１】
カードを搬送路に沿って搬送する搬送部と、
前記搬送路にカードの搬送方向に亘って複数配設され、印刷ヘッドを有した搬送上部とこの搬送上部に対向配置され搬送ローラを有した搬送下部と、この搬送下部を搬送上部から接離可能に配設されたトグル機構を有し、前記カードに処理を施す処理ユニットと、
前記搬送下部の下方に配設されジャムを起こしたカードを廃棄する廃棄箱と、
前記処理ユニット内でカードのジャムが起きた場合に、前記トグル機構を駆動して前記搬送下部を前記搬送上部から離間させ、ジャムを起こしたカードを前記廃棄箱に落とし込む制御部とを備えることを特徴とするカード印刷装置。
【請求項２】
表示部と、前記廃棄箱内のカードを検知するセンサと、を備え、前記廃棄箱にジャムを起こしたカードが存在するときは、その旨を前記表示部に表示することを特徴とする請求項１記載のカード印刷装置。
【請求項３】
前記制御部は、ジャムが発生した前記処理ユニットでのカードの取り除きが完了後、前記処理ユニットにおける処理を再開することを特徴とする請求項１記載のカード印刷装置。
【請求項４】
カードを載置して搬送するとともに、カードの搬送方向と直交する方向に回転可能に支持された搬送ベルトを有した第２の処理ユニットを備え、
前記搬送ベルト上でカードのジャムが起きた場合に、前記搬送ベルトを回転させ、ジャムを起こしたカードが廃棄箱に落下するようにしたことを特徴とする請求項１記載のカード印刷装置。
【請求項５】
複数の処理ユニットを経てカードに情報を印刷するとともに、ジャムを起こしたカードを廃棄する廃棄箱を備えたカード印刷装置におけるカード処理方法であって、
カードの処理中に、ジャムが発生すると前記処理ユニットでの処理を中断し、
ジャムを起こしたカードを前記処理ユニットから前記廃棄箱に取り除き、
前記廃棄箱に廃棄されたジャムカードがあることを検知し、
前の処理工程に係る処理ユニットでの処理が完了して待機中のカードを、ジャム処理が完了した該ユニットに搬送し、
新規のカードに対して、前記ジャムカードの情報を再度処理させる、
ことを特徴とするカード処理方法。
【発明の詳細な説明】
【技術分野】
【０００１】
本発明は、例えば、ＩＣカード等の身分証明カードに画像、文字等の情報を印刷するカード印刷装置およびカード処理方法に関する。
【背景技術】
【０００２】
この種のカード印刷装置は、カード取出し部にカードカートリッジを装填し、カードカートリッジからカードを取出し、取出したカードを分離部で一枚ずつに分離して送り出す。送り出されたカードは、その表面に印刷部に画像、文字等の情報が印刷される。印刷されたカードは、保護膜転写部に送られて、その印刷面に保護膜が転写されるように構成されている（例えば、特許文献１参照。）また、印刷に加えて、カードにＩＣを備えることにより情報の読み書きを可能にし、エンボッシング処理を施すものもある。
【０００３】
カード印刷装置には、上記した各処理を行うためのユニットが複数個内蔵されており、カードは、搬送手段によって搬送されながら、各ユニットにおいて処理され、次のユニットに送られる。
【０００４】
ところが、各ユニット内部、あるいはユニット間の搬送中に、カードがジャム（搬送詰り）を起こす場合がある。処理動作シーケンスのタイムオーバーや、搬送イレギュラーによる搬送路周辺との衝突など、ジャムの原因はさまざまである。ジャムが起きると、カード印刷装置は各処理動作を停止し、通常の処理を続けるためにジャムを解除し、その後に復帰動作を行う。
【０００５】
ジャムを解除するためには、ジャムを起こしたカードを排除しなくてはならない。ジャムを起こしたカードを手動で排除する場合は、カードに処理を施している各部位を解除・退避して、ジャムを起こしたカードにアクセス出来るようにする必要がある。カードへの処理手段として、圧力・熱・紫外線照射等をカードに付与している。そのため、カードを取り除く作業者にその弊害が及ばぬようにする防護手段が必要になる。そのため、装置を複雑化させ、ジャム解除時の作業負担も増やしている。また、装置各部位を開放してしまうため、処理の重要部分（例えば印刷ヘッド）にダスト等の異物を侵入させてしまい、復帰後の処理品質（例えば印刷品質）を劣化させてしまう。
【０００６】
ジャムを起こしたカードを自動で排除して復帰させる手法は、手動で取り除く際の諸問題を解決するものといえる。自動で行う装置の場合は、通常搬送路中または終端に設けられた廃棄箱まで、ジャムを起こしたカードを排出搬送する。その後、制御部が搬送路中に異常のないことを確認してから自動復帰して処理を再開する。
【特許文献１】特開平８−９０８５６号公報
【発明の開示】
【発明が解決しようとする課題】
【０００７】
ところが、排出搬送に通常の処理搬送手段を用いているので、物理的な衝突ジャムが起きている場合、カードを搬送できない、さらには、ジャムの程度を悪化させることがあった。このような場合、再度ジャム状態であると判定されてしまう。そのため、自動排除・復帰動作とジャム判定を繰り返すこととなり、最終的には作業者による手動ジャム解除が必要な事態となっていた。
【０００８】
さらに、自動排除・復帰動作においても、複数の処理ユニットに対してジャムを起こしたカードを廃棄するための廃棄箱の数が少なく、廃棄箱までの排出搬送距離が長いため、処理再開までに時間がかかっていた。
【０００９】
そこで本発明では、人手による複雑なジャム解除の手間を省くとともに、自動復帰機能による排出動作で、装置自身による再ジャムを起こす不具合をなくすカード印刷装置およびカード処理方法を提供することを目的とする。
【課題を解決するための手段】
【００１０】
本発明の一態様によれば、カードを搬送路に沿って搬送する搬送部と、前記搬送路にカードの搬送方向に亘って複数配設され、印刷ヘッドを有した搬送上部とこの搬送上部に対向配置され搬送ローラを有した搬送下部と、この搬送下部を搬送上部から接離可能に配設されたトグル機構を有し、前記カードに処理を施す処理ユニットと、前記搬送下部の下方に配設されジャムを起こしたカードを廃棄する廃棄箱と、前記処理ユニット内でカードのジャムが起きた場合に、前記トグル機構を駆動して前記搬送下部を前記搬送上部から離間させ、ジャムを起こしたカードを前記廃棄箱に落とし込む制御部とを備えることを特徴とするカード印刷装置が提供される。
【００１１】
本発明の別の一態様によれば、複数の処理ユニットを経てカードに情報を印刷するとともに、ジャムを起こしたカードを廃棄する廃棄箱を備えたカード印刷装置におけるカード処理方法であって、カードの処理中に、ジャムが発生すると前記処理ユニットでの処理を中断し、ジャムを起こしたカードを前記処理ユニットから前記廃棄箱に取り除き、前記廃棄箱に廃棄されたジャムカードがあることを検知し、前の処理工程に係る処理ユニットでの処理が完了して待機中のカードを、ジャム処理が完了した該ユニットに搬送し、新規のカードに対して、前記ジャムカードの情報を再度処理させる、ことを特徴とするカード処理方法カード処理方法が提供される。
【発明の効果】
【００１２】
本発明によれば、人手による複雑なジャム解除の手間を省くことができる。ダスト侵入を嫌う処理を持つ装置においては、ダスト侵入の機会を削減でき、処理品質を維持出来る。自動復帰機能による排出動作で、装置自身による再ジャムを起こす不具合をなくす。ジャムを起こしたカードを廃棄箱に入れることで、装置を停止させることなく、可動効率を上げられる。
【発明を実施するための最良の形態】
【００１３】
以下、本発明の実施形態について、図面を参照しながら説明する。尚、各図において同一箇所については同一の符号を付すとともに、重複した説明は省略する。
【００１４】
（第１の実施形態）
図１は、本発明の一実施形態に係るカード印刷装置を示す全体構成図である。
【００１５】
図１に示すように、カード印刷装置１は、本体内の上部側には未処理のカードを供給するためのカード供給部２、複数の処理ユニット、完成したカードを保持するスタッカ部、カード印刷装置１の各部の動作等を制御するための制御部１００を備えている。さらに、カード印刷装置１は、操作入力部（図示しない）、表示部２００と接続されている。操作入力部は、カードに印刷するのに必要な情報を入力するもので、例えばカードの所有者の顔画像情報を入力する磁気ディスク装置を備えている。表示部２００は、入力された情報内容や異常等を表示するものである。
【００１６】
カード印刷装置１は、複数種のカードを取り扱うことができる。図１に示すように、カード印刷装置１の前面側上方部位には、カードを順次一枚ずつ取出して供給するカード供給部２が設けられている。カード供給部２は、カードの印刷面を上にした水平状態でカードを積層収容するホッパ４を備えている。
【００１７】
ホッパ４内には、例えば、第１及び第２のカードカートリッジ２Ａ，２Ｂがセットされている。第１及び第２のカードカートリッジ２Ａ，２Ｂ内には、それぞれ異なる厚さのカードを積層状態で収容することができる。カードカートリッジ２Ａ，２Ｂ内のカードは一枚ずつ取り出されて第１の搬送路３に沿って搬送される。
【００１８】
ホッパ４の下面部には、時計方向に回転するゴムローラからなる取出ローラ４ａが設けられている。取出ローラ４ａの回転により最下端のカードから１枚ずつ逐次取り出されるようになっている。取出されるカードは搬送手段である搬送ローラ対４ｂによって水平状態に配置される第１の搬送路３に沿って図中右方向に搬送される。第１の搬送路３の終端部にはカードを斜め下方に向かって搬送する第２の搬送路８が接続されている。
【００１９】
第１の搬送路３上には、３色カラー感熱昇華印刷を行う処理ユニットがカードの搬送方向に亘って設けられている。３色カラー感熱昇華印刷は、例えばカードに対して所持者の顔画像を多色印刷するものである。図１に示すように、イエロー印刷処理を行う処理ユニット５ａ、マゼンダ印刷処理を行う処理ユニット５ｂ、シアン印刷処理を行う処理ユニット部５ｃにより、Ｙ（イエロー）、Ｍ（マゼンダ）、Ｃ（シアン）の３色を逐次重ね合わせて感熱昇華印刷するようになっている。
【００２０】
各印刷処理ユニット５ａ，５ｂ、５ｃは、プラテンローラ、感熱印刷ヘッド、感熱昇華印刷インクリボン、インクリボンの両端部が巻回されたインクリボン送出軸及びインクリボン巻取軸等から構成されている。
【００２１】
処理ユニット５ｃのカード搬送方向後段（図中右側）には、黒文字溶融転写印刷を行う処理ユニット５ｄが配置されている。顔画像が印刷されたカードは、処理ユニット５ｄに送り込まれ、必要な記載情報が黒文字印刷される。
【００２２】
処理ユニット５ｄは、プラテンローラ、感熱印刷ヘッド、黒の感熱溶融転写インクリボン、インクリボン送出軸、インクリボン巻取軸等から構成されている。
【００２３】
処理ユニット５ｄの後段には、紫外線（ＵＶ）保護膜転写を行う処理ユニット６が配設されている。ＵＶ保護膜は、耐光性を向上させるための保護膜で、印刷を完了したカードの表面に溶融転写して行なわれる。これは、次のステージで紫外線硬化系の表面保護膜を熱転写後、紫外線を照射するために、昇華印刷をした顔画像が色あせてしまうことに対する防護である。ＵＶ保護膜も、感熱印刷インクリボンと同じように、転写紙のリボンの上に形成されていて透明であり、内部に発熱体を埋め込んだヒートローラを押し当てて感熱転写を行なう。
【００２４】
ＵＶ保護膜を溶融転写されたカードは、第２の搬送路８に搬送される。第２の搬送路８には、処理ユニット９が設けられている。処理ユニット９は、カードの表面全体に保護膜を熱転写形成させるものである。
【００２５】
表面保護膜を形成されたカードは、表面保護膜硬化ユニット１０に送られる。表面保護膜硬化ユニット１０は、カード表面の保護膜を紫外線硬化させるもので、ベルトコンベア１０ａ、及び搬送ローラ対１０ｂ、さらに、ベルトコンベアの上方に設置された水銀灯１０ｃから構成されている。表面保護膜硬化ユニット１０のベルトコンベア１０ａ上にのせられて搬送されるカードの表面に対して、水銀灯１０ｃから紫外線を照射することにより、カード表面の保護膜を紫外線硬化させる。
【００２６】
表面保護膜硬化ユニット１０の下流側には第３の搬送路１１が接続され、ベルトコンベア１０ａから送り出されたカードは、第３の搬送路１１に送られる。第３の搬送路１１にはカードに内蔵される無線ＩＣに対し情報を読み書きするリーダライタ部１２が設けられている。リーダライタ部１２はＩＣカードの場合にのみ、カード内の無線ＩＣに情報の書き込みを行うものである。第３の搬送路１１の排出端側には、完成したカードＫを集積する集積部１３が設けられ、スタッカ１３ａに収容されるようになっている。
【００２７】
図１に示すように、本実施形態に係るカード印刷装置では、各処理ユニット５ａ，５ｂ，５ｃ，５ｄ，６の下方に、ジャムを起こしたジャムカードを廃棄するための廃棄箱７ａ、７ｂ，７ｃ，７ｄ，７ｅを設けている。さらに、表面保護膜硬化ユニット１０、リーダライタ部１２の下方にも、ジャムを起こしたジャムカードを廃棄するための廃棄箱７ｆ、７ｇを設けている。これらの廃棄箱は、各処理ユニット毎に独立して設けても、第１の搬送路３に平行に、複数の廃棄箱を連結させて一体化しても構わない。一体化による形成は、廃棄箱７ｆ、７ｇについても同様である。
【００２８】
次に、制御部１００の構成および動作について説明する。図２は、制御部１００の構成及び動作を説明するためのブロック図である。制御部１００は、主制御部１１０と、各処理ユニットの制御を司るユニット制御部１２０に、大別することができる。主制御部１１０は、各ユニット制御部１２０を制御するもので、各ユニット制御部１２０に処理命令を出して、各ユニット制御部１２０から処理完了を受領する。ユニット制御部１２０は、処理ユニット（例えば、処理ユニット５ａ等）、搬送ローラ５０８ａを駆動する搬送ローラ用駆動モータ５０４ａ、搬送ベルト５０９ａを駆動する搬送ベルト用駆動モータ５０５ａ、処理ヘッド５１０ａを駆動する処理ヘッド用処理駆動源５０６ａ、後述するトグル機構５１１ａを駆動するトグル機構用駆動モータ５０７ａを制御する。さらに、ユニット制御部１２０は、搬送カード検知センサ５０１ａ、ジャム解除中検知センサ５０２ａ、廃棄箱内カード検知センサ５０３ａからセンサ信号を入力する。
【００２９】
ユニット制御部１２０は、前の処理工程を行った処理ユニットからカードを受け取り（搬送受渡し）、そのカードに対して所定の処理を行う。ユニット制御部１２０は、所定の処理が完了すると、主制御部１１０に、処理完了を報告する。主制御部１１０は、次の処理工程を行うユニット制御部１２０にたいして、処理命令を出す。処理を終えた処理ユニットのユニット制御部１２０は、次の処理工程を行う処理ユニットにカードを受け渡す。すべての処理を終え、カードが完成するまで、これらの制御が繰り返される。
【００３０】
カード印刷装置１の稼働中、ある処理ユニット（例えば処理ユニット５ａ）でジャムが起きると、制御部１００は正常に処理を行っている他の処理ユニットでの処理が完了後、全ての処理ユニットでの処理を停止し、ジャム解除モードに入る。このジャム処理の詳細は、以下のように実行される。
【００３１】
まず、ユニット制御部１２０は、ジャムが発生すると処理を中断し、主制御部１１０にジャム状態を報告する。ユニット制御部１２０は、手動または自動でリジェクト処理を完了する。このとき、廃棄箱７内に配設されているカード検知センサ５０３ａはＯＮ、ジャム解除中検知センサ５０２ａはＯＦＦ、搬送カード検知センサ５０１ａはＯＦＦとなっている。主制御部１１０は、表示部２００に、当該処理ユニット（例えば処理ユニット５ａ）の廃棄箱（例えば７ａ）に廃棄されたジャムカードＫがあることを表示させる。ユニット制御部１２０は、当該処理ユニット５ａ内部にカードＫが残留していないことを、搬送カード検知センサ５０１ａの信号で確認し、手動または自動で復帰動作を行い、リジェクト完了を主制御部１１０に報告する。主制御部１１０は、前の処理工程に係る処理ユニットでの処理が完了して待機中のカードを、リジェクト処理を完了した当該ユニットに送り、所定の処理を行うよう、命令を出す。主制御部１１０は、リジェクトされたカード番号のデータを、再度処理させるべく、やり直し処理を指令し、ホッパ４から新規のカードの取り出しを指令する。
【００３２】
次に、ジャムを起こしたカードを廃棄箱に入れる実施形態について、図３、図４を基に詳述する。図３は、カード印刷装置において、一般的な搬送ローラを用いた処理ユニット（例えば５ｂ）の概念図である。図３（ａ）は通常の処理状態、図３（ｂ）はジャムを起こしたカードの解除状態を示している。処理ユニット５ｂは、大別すると、搬送上部５１と搬送下部５２から構成されている。カードＫは、搬送上部５１と搬送下部５２に設けられた搬送ローラ５３や搬送ベルト（図示しない）によって上下を把持され、搬送ローラ５３や搬送ベルトの回転駆動によって搬送される。基本的に、搬送上部５１には、その処理ユニット５ｂの処理手段である図示しない印刷ヘッド、圧力ローラ等が設けられており、搬送下部５２には、搬送ローラ５３や搬送ベルトの駆動系が組み込まれている。
【００３３】
従来のカード印刷装置では、ジャム解除の際、搬送下部５２は固定のままとし、搬送上部５１自体やその構成部位を退避させていた。一般的に、搬送上部５１に内蔵されている処理手段（印刷ヘッド、圧力ローラなど）を高剛性で支持する必要があるためである。
【００３４】
しかしながら、本実施形態では、搬送上部５１はその位置を保ったままとして、搬送下部５２を、以下に説明するトグル機構５４によって下方に退避できるようにして、ジャムを起こしたカードＫを廃棄箱７ｂにリジェクトしている。
【００３５】
図４は、図３に示した処理ユニット５ｂの搬送路の断面図であって、トグル機構５４の動きを説明する模式図である。図４（ａ）が通常の処理状態、図４（ｂ）がジャムの解除状態を示している。
【００３６】
搬送下部５２は、回転支点５４ａと５４ｂで支持されている。トグル機構５４を構成するトグルリンク５４ｃ、５４ｅは、回転支点５４ｂ、５４ｄ、５４ｆで連結されている。回転支点５４ｆは、処理ユニット５ｂの固定側である搬送上部５１に対して、トグルリンク５４ｅを回動させることができる。トグル機構の支点５４ｆとなる軸は、図示しないソレノイドあるいは駆動モータを介することにより、自動で回動させることができる。尚、手動でトグル機構５４を動かすことが可能であることは言うまでもない。
【００３７】
トグルリンク５４ｅが直立して、回転支点５４ｂ、５４ｄ、５４ｆのなす角度θが１８０度のときには、回転支点５４ｄまわりの死点になっているので、トグルリンク５４ｃ、５４ｅは、１つの剛体と同様になる。そのため、搬送下部５２は、回転支点５４ａと５４ｂの２点で、高い剛性を保って支持される。
【００３８】
トグルリンク５４ｅを、回転支点５４ｆ周りに倒すと、回転支点５４ｂ、５４ｄ、５４ｆのなす角度θが１８０度から外れ、回転支点５４ｂがトグルリンク５４ｃに引かれながら動くので、搬送下部５２は、回転支点５４ａ周りに回動して搬送路を下に傾けつつ搬送上部５１から離れる。
【００３９】
トグル機構５４を設けることによって、搬送下部５２は、通常処理時には搬送上部５１から与えられる圧力押下や印刷などに対して高い剛性で自身やカードＫを保持することが出来る。ジャムが発生した場合には、搬送下部５２を傾けて搬送上部５１から離れるので、ジャムカードＫは、搬送上部５１と搬送下部５２の搬送ローラ５３に挟まれた搬送状態から、いずれからも挟持されないフリーの状態となる。ジャムカードＫは、傾いた搬送下部５２から滑り落ちて、搬送下部５２の下方に設置された廃棄箱７ｂ内に落下する。
【００４０】
ジャムカードＫのより確実な排出を促すために、搬送下部５２上のカードＫを廃棄箱７ｂに押し出す機構を追加してもよい。例えば、回転支点５４ａまわりの搬送下部５２の回転動作に連動して、カードエッジを押し出す腕（図示しない）が動くようにも出来る。また、搬送下部５２に配設したピン（図示しない）で、ジャムカードＫを裏面側から押すこともできる。
【００４１】
（第２の実施形態）
カードＫのジャムは、紫外線照射による表面保護膜硬化ユニット１０においても、起こりうる。そこで、紫外線照射による表面保護膜硬化ユニット１０でのジャム解除について説明する。図５は、紫外線照射による表面保護膜硬化ユニット１０でのジャム解除を説明するための概念図で、（ａ）は、正面図、（ｂ）は上面図、（ｃ）は側面図である。
【００４２】
前処理でカードＫに表面保護膜を形成させた後、続く表面保護膜硬化ユニット１０では紫外線を照射する。紫外線をカードＫ表面に満遍なく照射させるために、ベルトコンベア１０ａ上にカードＫを載せて搬送している。ベルトコンベア１０ａの左右にカードＫがはみ出すことのないように、カード側面に対しても搬送ベルト１０ｄが設けられている。ジャムは、ベルトコンベア１０ａの搬送方向屈曲部や、次工程の処理ユニットへの受け渡し部で起こりうる。１カ所でジャムが発生すると、後続するカードが先行してジャムを起こしているカードに衝突し、玉突き状に多数のジャムを起こす。
【００４３】
このような場合、ベルトコンベア１０ａ、搬送ベルト１０ｄを逆転させることで、ベルトコンベア１０ａの上流側端に設けた廃棄箱７ｆにジャムカードを排出し、ジャム解除することが考えられる（図５（ａ）参照。）。しかし、玉突き状の多数のジャムによって、ベルトコンベア１０ａ、搬送ベルト１０ｄから乗り上げてしまったジャムカードＫは、ベルトコンベア１０ａ、搬送ベルト１０ｄの逆転搬送でも搬送できない場合が多い。
【００４４】
本実施形態では、図５（ｂ）に示すように、ベルトコンベア１０ａを回転支点１４ａ周りに、搬送方向とは直交する方向に回転できるように構成している。その際、カード側面の搬送ベルト１０ｄの片方は、回転支点１４ｂ周りに回転するので、両方のベルトコンベア１０ａ、搬送ベルト１０ｄは相互に干渉することはない。ジャムカードＫを乗せたままベルトコンベア１０ａが搬送方向横に回転すると、壁板１５直下まで移動する。図５（ｃ）に示すように、壁板１５は、ベルトコンベア１０ａの回転は許容するが、その上のジャムカードＫに対しては壁として立ちはだかる。よって、ベルトコンベア１０ａ上のジャムカードＫは、その下の廃棄箱７ｆに落下する。ジャム解除後の制御部によるシーケンスは、第１の実施形態と同様である。
【００４５】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明の一実施形態に係るカード印刷装置を示す全体構成図である。
【図２】制御部の構成及び動作を説明するためのブロック図である。
【図３】本発明による処理ユニットのジャム解除を示す概略図である。
【図４】本発明による処理ユニットのジャム解除動作を示す断面図である。
【図５】本発明の別の実施例のジャム解除を示す概略図である。
【符号の説明】
【００４７】
Ｋ：カード、１：カード印刷装置、２：カード供給部、３：第１の搬送路、４：ホッパ、５ａ、５ｂ：処理ユニット、６：ＵＶ保護膜転写ユニット、７ａ、７ｂ：廃棄箱、８：第２の搬送路、９：表面保護膜転写ユニット、１０：表面保護膜硬化ユニット、１１：第３の搬送路、１２：リーダライタ部、１３：集積部、５４：トグル機構、１４ａ，１４ｂ：回転支点、１５：壁板、１００：制御部、２００：表示部
【図１】
2010083633.tif 000003
【図２】
2010083633.tif 000004
【図３】
2010083633.tif 000005
【図４】
2010083633.tif 000006
【図５】
2010083633.tif 000007